(57)【要約】【課題】複数の選択肢上を移動するカーソルが合っている選択肢の視認性を良くする表示装置及びその表示方法を提供する。【解決手段】操作検出部３２が操作部３１に対するユーザの連続選択操作を検出した場合に、貼り付けメモのテキスト部２２及びカーソル２５を通常（待ち受け画面表示時）より短くして表示させる。【選択図】図３
2008052148.tif 000002
【特許請求の範囲】
【請求項１】
複数の選択肢を記憶する記憶部と、
前記複数の選択肢を表示可能な表示部と、
前記複数の選択肢の中から少なくとも１つの選択肢を選択するために操作される操作部と、
前記操作部による操作を検出する操作検出部と、
前記表示部に前記複数の選択肢を表示させるとともに、前記操作検出部によって検出される前記操作部の操作に応じて選択された選択肢を強調表示させる制御部と、
を備えた表示装置において、
前記操作検出部は、前記操作部による選択操作が連続的であるか否かを判定し、
前記制御部は、前記選択操作が連続的である場合と連続的でない場合とで選択された選択肢の表示形態を異ならせる
ことを特徴とする表示装置。
【請求項２】
前記制御部は、前記選択操作が連続的である場合と連続的でない場合とで前記強調表示の形態を異ならせる
ことを特徴とする請求項１記載の表示装置。
【請求項３】
前記制御部は、選択された選択肢とともに所定長さを有するカーソルを合わせて表示することにより強調表示し、前記選択操作が連続的である場合には前記カーソルを前記所定長さよりも短くして表示させる
ことを特徴とする請求項２記載の表示装置。
【請求項４】
前記記憶部は、テキスト文書を有する選択肢を記憶し、
前記制御部は、少なくとも選択された選択肢のテキストを前記表示部に表示させるとともに、前記選択操作が連続的である場合には、選択された選択肢の前記テキストの表示形態を変更する
ことを特徴とする請求項１から請求項３のいずれか１項に記載の表示装置。
【請求項５】
前記制御部は、前記選択操作が連続的である場合には、選択された選択肢のテキストの一部を表示する
ことを特徴とする請求項４に記載の表示装置。
【請求項６】
前記制御部は、前記テキストの常時表示が設定されている所定の選択肢を前記表示部に表示する場合には前記所定の選択肢の前記テキストを常時表示するとともに、前記連続的な選択操作によって前記所定の選択肢が選択された場合には前記テキストの一部表示を抑制する
ことを特徴とする請求項５に記載の表示装置。
【請求項７】
前記表示部は、待受け画面を表示するとともに当該待受け画面上に前記複数の選択肢を表示可能に構成され、
前記制御部は、前記表示部の前記待受け画面上に前記複数の選択肢が表示されている場合に、前記選択操作が連続的である場合と連続的でない場合とで選択された選択肢の表示形態を異ならせる
ことを特徴とする請求項１から請求項６のいずれか１項に記載の表示装置。
【請求項８】
複数の選択肢を記憶する記憶部と、
待受け画面上に前記複数の選択肢を表示可能な表示部と、
前記複数の選択肢の中から少なくとも１つの選択肢を選択するために操作される操作部と、
前記操作部による操作を検出する操作検出部と、
前記表示部の待受け画面上に前記複数の選択肢を表示させるとともに、前記操作検出部によって検出される前記操作部の操作に応じて選択された選択肢を強調表示させる制御部と、
を備えた表示装置において、
前記記憶部は、前記選択肢としてテキストとアイコンとを対応付けて記憶し、
前記制御部は、前記表示部の待受け画面上に前記選択肢として前記アイコンが表示されているときに、当該アイコンが前記操作部による操作によって選択されると、選択された前記アイコンに対応する選択肢のテキストを前記待受け画面上に表示する
ことを特徴とする表示装置。
【請求項９】
表示される複数の選択肢の中から少なくとも１つの選択肢を選択する選択操作を行わせる表示装置の表示方法であって、
選択操作が連続的であるか否かを判定する第１のステップと、
前記選択操作が連続的である場合と連続的でない場合とで選択された選択肢の表示形態を異ならせる第２のステップと、
を有することを特徴とする表示方法。
【発明の詳細な説明】
【技術分野】
【０００１】
本発明は、複数の選択肢を表示する表示装置及びその表示方法に関する。
【背景技術】
【０００２】
携帯電話等の端末装置において、標準画面（待ち受け画面）に位置調整およびサイ
ズ調整可能な複数のメモを貼り付けることができるものがある。特に、特許文献１には、表示部に貼り付けメモと呼ばれる所定の大きさのウィンドウ（データ表示領域）を複数個表示させることができる通信装置が開示されている。
【特許文献１】特開２００５−５１３１６号公報
【発明の開示】
【発明が解決しようとする課題】
【０００３】
特許文献１に開示された技術では、標準画面において、貼り付けメモを表示する際にウインドウサイズを選択することが可能であった。すなわち、貼り付けメモの内容に関連するアイコンのみを表示させる態様と、当該アイコンと貼り付けメモの内容（の一部）のテキストとを表示される態様との２種類の表示態様があった。アイコンのみが表示されている場合、アイコンを選択することにより、そのアイコンに対応付けられたテキストが表示されるようになっている。
【０００４】
貼り付けメモは複数登録させることができるので、メモの内容のテキストを表示する表示態様である場合には、待ち受け画面上に表示された複数の貼り付けメモの中から、ユーザは必要な貼り付けメモを探し出して選択・決定する必要がある。貼り付けメモの選択は、例えばユーザの上下操作キーの操作によって行われるが、複数の貼り付けメモから選択を行う際には、例えばユーザは上操作キー（或いは下操作キー）を操作することにより任意の貼り付けメモの選択を行う。また、選択されている貼り付けメモをユーザに認識させるために、選択された任意の貼り付けメモはカーソル表示される。
しかし、操作キーの押し続け等によって複数の貼り付けメモの中からの選択を連続して行う場合には、選択される任意の貼り付けメモが連続して切り替わり、表示されるカーソルも連続的に移動することになる。連続的な選択操作が行われる場合にも連続的でない選択操作の場合と同様の表示制御が行われるため、連続的な選択操作を行っている場合の選択されている任意の貼り付けメモを視認することが難しい、という不利益があった。
【０００５】
本発明は、上述した不利益を解消するために、複数の選択肢の中から選択された選択肢の視認性を良くする表示装置及びその表示方法を提供することを目的とする。
【課題を解決するための手段】
【０００６】
上述した目的を達成するために、第１の発明の表示装置は、複数の選択肢を記憶する記憶部と、前記複数の選択肢を表示可能な表示部と、前記複数の選択肢の中から少なくとも１つの選択肢を選択するために操作される操作部と、前記操作部による操作を検出する操作検出部と、前記表示部に前記複数の選択肢を表示させるとともに、前記操作検出部によって検出される前記操作部の操作に応じて選択された選択肢を強調表示させる制御部と、を備えた表示装置において、前記操作検出部は、前記操作部による選択操作が連続的であるか否かを判定し、前記制御部は、前記選択操作が連続的である場合と連続的でない場合とで選択された選択肢の表示形態を異ならせる。
【０００７】
第２の発明の表示装置は、複数の選択肢を記憶する記憶部と、待受け画面上に前記複数の選択肢を表示可能な表示部と、前記複数の選択肢の中から少なくとも１つの選択肢を選択するために操作される操作部と、前記操作部による操作を検出する操作検出部と、前記表示部の待受け画面上に前記複数の選択肢を表示させるとともに、前記操作検出部によって検出される前記操作部の操作に応じて選択された選択肢を強調表示させる制御部と、を備えた表示装置において、前記記憶部は、前記選択肢としてテキストとアイコンとを対応付けて記憶し、前記制御部は、前記表示部の待受け画面上に前記選択肢として前記アイコンが表示されているときに、当該アイコンが前記操作部による操作によって選択されると、選択された前記アイコンに対応する選択肢のテキストを前記待受け画面上に表示する。
【０００８】
第３の発明の表示方法は、表示される複数の選択肢の中から少なくとも１つの選択肢を選択する選択操作を行わせる表示装置の表示方法であって、選択操作が連続的であるか否かを判定する第１のステップと、前記選択操作が連続的である場合と連続的でない場合とで選択された選択肢の表示形態を異ならせる第２のステップと、を有する。
【発明の効果】
【０００９】
本発明によれば、複数の選択肢の中から選択された選択肢の視認性を良くする表示装置及びその表示方法を提供することができる。
【発明を実施するための最良の形態】
【００１０】
以下、本実施形態の表示装置の一例である携帯端末１００について説明する。なお、本実施形態では、携帯端末１００としての携帯電話機について説明する。
図１は、携帯端末１００の構成を示すブロック図である。
図１に示すように、携帯端末１００は、記憶部１、表示部２、操作部３１、操作検出部３２及び制御部４がバス５によって接続されている。
【００１１】
記憶部１は、携帯端末の各動作や機能に必要な種々のデータ等を記憶する。すなわち、例えば、アドレス帳データ（名前、電話番号、ｅメールアドレス等を関連付けたデータ）、ｅメールデータ、アプリケーションデータ、発信及び着信記録データ、待ち受け画像データ等である。また、本実施形態では、貼り付けメモに関する貼り付けメモデータを記憶している。貼り付けメモは、ユーザが設定することにより表示部２が待ち受け画面上に表示する付箋表示枠である。貼り付けメモについては後述する。
【００１２】
表示部２は、ＬＣＤ（Liquid Crystal Display）や有機ＥＬ（Electro Luminescence）ディスプレイ等の表示デバイスであり、携帯端末１００の各種表示動作を行う。すなわち、例えば音声通話着信表示、発信表示、ｅメール着信表示、発信表示、アドレス帳表示、アプリケーション表示、待ち受け画面表示、等である。なお、待ち受け画面表示中には、後述する貼り付けメモを表示することができる。
【００１３】
操作部３１は、例えば文字入力キーを兼ねたテンキー、十字キー、決定キー等の操作デバイスであり、ユーザの操作を受け付ける。操作検出部３２は、ユーザによる操作部３１への操作を検出し、後述する制御部４に出力する。
制御部４は、携帯端末１００の統括的な制御を行う。すなわち、例えば、音声通話着信があった場合には、発信相手から発信先情報を受信し、記憶部１内のアドレス帳データと照合しデータが存在した場合には表示部２に発信先情報を表示させ、図示しない音声入出力部を制御して通話を開始させる等の処理を行う。また、制御部４は以下に説明する貼り付けメモを表示部２に表示させる制御を行う。
【００１４】
以下、本発明における選択肢の一例としての貼り付けメモについて説明する。
図２は、表示部２に表示された貼り付けメモの一例を示す図である。
図２（ａ）に示すように、貼り付けメモ２１〜２４はアイコン２１ａ〜２４ａとテキスト部２１ｂ〜２４ｂとを有する。すなわち、貼り付けメモ２１〜２４はアイコン２１ａ〜２４ａとアイコンに関連付けられた内容を表示するテキスト部２１ｂ〜２４ｂとの組み合わせによって構成されている。ただし、待ち受け画面上では、図２（ａ）に示す貼り付けメモ２３のように、アイコン２３ａのみを表示させることも可能であるし、貼り付けメモ２１、２２、２４のようにアイコンとテキスト部との両方を表示させることも可能である。そして、待ち受け画面は複数の表示領域を有しており、１つの表示領域に１つの貼り付けメモを表示させることにより、待ち受け画面上に複数の貼り付けメモを表示させることが可能となっている。
【００１５】
例えば、ユーザが後述する操作部３１を介して、まずアイコンを選択し、選択したアイコンに関連付けた内容を設定（テキストを入力する等）することによって貼り付けメモは登録され、待ち受け画面上に表示される。例えば図２（ａ）に示したように、ユーザが登録したアイコン２１ａとメモの内容（「カーテン  縦  ｘｘｃｍ  横  ｙｙｃｍ」等）を表示するテキスト部２１ｂと関連付けられた貼り付けメモ２１が表示されている。ここで、ユーザの操作による設定によっては、アイコン２１ａのみが表示され、メモの内容を表示するテキスト部２１ｂは表示されないようにすることも可能である。
【００１６】
また、貼り付けメモの表示中にユーザが操作部３１を介して操作を行うことにより（例えば、上下操作キーの押下等）、ユーザの操作部３１による選択操作によって、待ち受け画面上に表示されている貼り付けメモのいずれかが選択されると、この選択された任意の貼り付けメモを強調表示するカーソル２５が待ち受け画面上に表示されて選択されている任意の貼り付けメモに合わせて表示される。なお、図２（ｂ）では、画面上２番目の貼り付けメモ２２が選択され、この貼り付けメモ２２を白黒反転表示することによりカーソル２５を表示している。カーソル２５の表現方法はこれには限定されず、例えば枠の色を変化させる等、様々な表現方法が適用可能である。
また、図２（ｃ）に示すように、貼り付けメモ２３が選択され、カーソル２５が合わせて表示されている場合には、その貼り付けメモ２３が、図２（ａ）及び（ｂ）に示されるように、アイコン２３ａのみ表示されるようにユーザによって設定されていたとしても、そのアイコン２３ａに関連付けられた貼り付けメモの内容がテキスト部２３ｂとして表示される。図２（ｃ）は、図２（ａ）においてアイコン２３ａのみの表示であった、上から３番目の貼り付けメモ２３が選択されている場合の表示画面を説明するための図である。図２（ｃ）に示すように、上から３番目の貼り付けメモ２３が選択されカーソル表示されている場合には、選択されていなかったときには表示されていなかった内容がテキスト部２３ｂとして表示されている。
【００１７】
操作部３１での選択操作によって貼り付けメモの１つが選択され決定された場合、制御部４は表示部２に表示する待ち受け画面から、貼り付けメモの内容（テキスト文章等）を表示したり、貼り付けメモに対応して登録されている機能を起動する画面へと遷移したりする。貼り付けメモの内容を表示する画面については、本発明では限定しない。なお、貼り付けメモは、メモを登録するメモ機能だけでなく、例えば電話番号が登録されている貼り付けメモを選択・決定した場合にはその電話番号に発信したり、ＵＲＬが登録されている貼り付けメモを選択・決定した場合にはそのＵＲＬに接続したり、というように、携帯端末１００の各機能へのショートカットとして使用することが可能である。
【００１８】
なお、図２（ａ）に示した例では貼り付けメモ２１、２２、２４のメモの内容の表示が途中で途切れている（文字数の都合上表示しきれていない）が、この場合、ユーザが選択操作によってこの貼り付けメモに合わせた時に、例えばテキスト部２２にはメモの内容が左右方向にスクロール表示されるようになっており、この貼り付けメモを選択・決定し貼り付けメモの内容の画面を表示させずとも、貼り付けメモの内容を確認することが可能である。
【００１９】
貼り付けメモは、図２（ａ）乃至図２（ｃ）に示すように、待ち受け画面上に複数表示可能である。待ち受け画面内に表示可能な貼り付けメモの数は待ち受け画面の大きさや貼り付けメモの大きさによって決定されるが、登録された貼り付けメモの数が待ち受け画面内に表示可能な貼り付けメモの数を超えた場合には、例えば最初に登録された貼り付けメモから最後に登録された貼り付けメモまでを順に並べ、その内の一部のみを待ち受け画面上に表示し、ユーザの選択動作によってスクロール表示されるようにすればよい。
【００２０】
以下、複数の貼り付けメモの選択処理について説明する。
複数の貼り付けメモが登録されている場合、ユーザは例えば操作部３１を介した操作によって任意に１つの貼り付けメモを選択することができ、カーソル２５によって選択された１つの貼り付けメモがカーソル表示によって強調表示される。
ここで、ユーザが選択操作によって複数の貼り付けメモの中から１つ１つ貼り付けメモを選択していき、任意に貼り付けメモ、それぞれの貼り付けメモの内容を確認する場合（以下、通常選択時と称する）には、制御部４は図２に関連付けて説明した上記の（通常の）表示方法で貼り付けメモの内容を表示部２に表示させる。
【００２１】
しかし、ユーザが操作部３１を介して、複数の貼り付けメモの中から任意に貼り付けメモを連続的に選択する操作をした場合（すなわち、例えば上操作或いは下操作キー押し放し等：以下、連続選択時と称する）には、貼り付けメモの表示方法を通常の表示方法とは変えて表示する。何故なら、連続選択時には、カーソル２５が複数の貼り付けメモ上を高速で移動して表示されるので、カーソル２５によってカーソル表示（強調表示）される貼り付けメモの内容が視認しづらいからである。なお、１画面内に表示可能な数以上に貼り付けメモが登録されている場合には、カーソル２５自体は動かずに貼り付けメモが高速でスクロールしてもよく、この場合もカーソル２５内に表示された貼り付けメモの内容を視認しづらい。
【００２２】
図３は、連続選択時の表示部２の表示例を示す図である。
図３に示すように、ユーザが複数の貼り付けメモの中から連続的に選択している場合の表示方法は、テキスト部２１ｂ´２２ｂ´２４ｂ´及びカーソル２５が短く、かつ画面左側に寄って表示される、という点において図２に示す通常の表示方法と異なる。
連続選択時には、カーソル２５が複数の貼り付けメモ上を高速で移動するため、通常の表示方法で表示したのでは、カーソル２５が当たっている貼り付けメモのテキスト部２２に表示された内容が視認しづらい。このため、本実施形態の携帯端末１００では、連続選択時に待ち受け画面全体に表示されている貼り付けメモのテキスト部２２及びカーソル２５を短く表示させることによってユーザの視線の移動範囲を狭くし、視認しやすくすることが可能である。
【００２３】
ここで、テキスト部２１ｂ〜２４ｂ及びカーソル２５を短くして表示する際に、どの程度短くするかは、本発明では限定しない。ただし、ユーザがテキスト部２１ｂ〜２４ｂ及びカーソル２５を視認しやすくなる、すなわち、一目見ただけでテキスト部及びカーソル２５内部の文字を認識でき、貼り付けメモ２１〜２４の内容を理解できる程度には短くすることとする。また、テキスト部２１ｂ〜２４ｂ及びカーソル２５を左端に寄せて表示するとしたが、これは、テキスト部２１ｂ〜２４ｂ及びカーソル２５を短くして表示する際に、テキスト部２１ｂ〜２４ｂ及びカーソル２５の基端となる位置が変化すると、テキスト部及びカーソル２５内の文字を非常に視認しにくくなるからであり、すなわち、テキスト部２１ｂ〜２４ｂ及びカーソル２５の左端を基端として固定したまま、テキスト部２１ｂ〜２４ｂ及びカーソル２５を短くして表示する、ということである。また、連続選択時には、選択される任意の貼り付けメモが順次切り替わり、カーソル表示される貼り付けメモも順次切り替えられてカーソル２５が順次移動するように表示されるが、テキスト部２１ｂ〜２４ｂ及びカーソル２５を短く表示することにより、カーソル２５の表示処理の負荷を軽減でき、カーソル２５の移動を伴う表示処理を迅速に行うことができ、貼り付けメモの連続した選択処理も迅速に行うことができる。
【００２４】
図４に、通常時と連続選択時の貼り付けメモ表示と、ユーザの視線の移動範囲との関係を示す。
図４（ａ）は、通常時の貼り付けメモ表示を示す図であり、ユーザが貼り付けメモのテキスト部２２を見ながら目的の貼り付けメモを探す場合の視線の移動方向を矢印で示している。
図４（ｂ）は、連続選択時の貼り付けメモ表示を示す図であり、ユーザが貼り付けメモのテキスト部２２を見ながら目的の貼り付けメモを探す場合の視線の範囲を枠Ｗで示している。
【００２５】
図４（ｂ）に示すように、連続選択時には、カーソル２５の表示位置が高速で移動しているため、ユーザの視点がカーソル２５の移動範囲、すなわち枠Ｗ内に限定される。このため、カーソル２５が短い方が、ユーザの視線の範囲を画面左端に縮小して限定することができ、カーソル２５内に表示された貼り付けメモの内容を確認しやすい。また、連続選択時にカーソル２５の位置が制限され、貼り付けメモが高速スクロールする場合にも、カーソル２５が短い方が同様の効果を奏する。
【００２６】
さらに、連続選択時にカーソル２５を高速に移動させつつ、カーソル２５が合っていない貼り付けメモのテキスト部２２を見て目的の貼り付けメモを探す場合等には、テキスト部２２が短く表示されていることによって、視点の移動量が少なくなり、結果としてテキスト部２２に表示された貼り付けメモの内容を視認しやすくなる。
【００２７】
次に、携帯端末１００の連続選択時の動作例について説明する。
図５は、携帯端末１００の連続選択時の動作例について説明するためのフローチャートである。
【００２８】
ステップＳＴ１：
制御部４は、携帯端末１００が待ち受け状態となると表示部２に貼り付けメモを含む待ち受け画面を表示する。
ステップＳＴ２：
操作検出部３２は、操作部３１の操作によって貼り付けメモの選択操作がなされたか否かを判断し、選択操作がなされた場合はステップＳＴ３に進み、なされなかった場合はステップＳＴ１に戻る。
ここで、貼り付けメモの選択操作とは、例えば操作部３１の十字キーの上操作キーまたは下操作キーを操作する、等の行為を指すが、本発明では貼り付けメモの選択操作については限定しない。ユーザが操作部３１を介して行うどのような操作であっても良い。
【００２９】
ステップＳＴ３：
操作検出部３２は、操作部３１の操作によって貼り付けメモの連続選択操作がなされたか否かを判断し、連続選択操作がなされた場合はステップＳＴ４に進み、なされなかった場合は（連続でなく通常の選択操作であった場合は）ステップＳＴ５に進む。
ここで、連続選択操作とは、操作部３１での１回の操作によって１つの貼り付けメモが選択される通常の選択操作に対し、例えば操作部３１の上操作キーまたは下操作キーを所定時間（例えば０．５秒）以上押し放しにする、等の行為を指すが、本発明では貼り付けメモの連続選択操作については限定しない。ユーザが操作部３１を介して行うどのような操作であっても良く、所定時間以上の連続した操作部３１の操作によって、選択される貼り付けメモが順次切り替えられるような操作であればよい。
ステップＳＴ４：
制御部４は、カーソル２５及びテキスト部２１ｂ〜２４ｂを短く表示し、連続的な選択操作によって順次切り替わる任意の選択された貼り付けメモに合わせてカーソル２５を高速移動させて表示部２に表示させる。
ステップＳＴ５：
制御部４は、通常の選択操作に応じてカーソル２５及びテキスト部２１ｂ〜２４ｂを通常の長さで表示部２に表示させる。
【００３０】
以上説明したように、本発明の携帯端末１００によれば、操作検出部３２が操作部３１によるユーザの連続選択操作を検出した場合に、貼り付けメモのテキスト部２１ｂ〜２４ｂ及びカーソル２５を通常（待ち受け画面表示時）より短くして表示させるので、ユーザの視点の移動量が少なくなり、テキスト部２２及びアイコン２１ｂ〜２４ｂ内の文字を視認しやすくなる。このため、結果として、貼り付けメモを検索しやすくなる。
【００３１】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００３２】
上述した各実施形態では、貼り付けメモに限定して説明したが、本発明はこれには限定されない。すなわち、本発明は、表示装置の画面上に表示された複数の選択肢の中から選択操作によって任意の選択肢を選択可能とする表示装置にも適用可能である。例えば、選択肢として複数のメニュー項目が表示されるメニュー表示画面や選択肢として複数の宛先アドレスが表示されるアドレスリスト画面での選択処理等にも適用可能である。また、上述した実施形態では、複数の貼り付けメモ（選択肢）の中から選択されている貼り付けメモ（任意の選択肢）を強調表示する構成として、カーソル２５によるカーソル表示を行う構成としたが、これに限定されることなく、点滅表示、文字色や背景色の変更、文字フォントや文字スタイルの変更、などを行い、選択されている貼り付けメモを容易に認識できるように強調表示する構成であればよい。
【００３３】
また、上述した実施形態では、貼り付けメモ２１、２２、２４のように、待受け画面上に表示させる貼り付けメモが、アイコンとテキスト部との両方を表示する表示態様に設定されている場合、通常の選択操作時にはテキスト部をそのまま表示させ、連続選択操作時には選択されていないとき（カーソル表示されていないとき）にもテキスト部を短縮表示させる構成としたが、本発明はこの構成に限定されるものではない。例えば、連続選択操作時において、アイコンとテキスト部との両方を表示する表示態様に設定されている貼り付けメモ２１、２２、２４は、選択されていない（カーソル表示されていない）ときにはテキスト部２１ｂ、２２ｂ、２４ｂがそのまま表示される（短縮表示されない）ようにしても良い。また、この貼り付けメモ２１、２２、２４のテキスト部２１ｂ、２２ｂ、２４ｂは、連続選択操作時において貼り付けメモ２１、２２、２４が選択されているとき（カーソル表示されているとき）にもそのまま表示されるように構成しても良い。この場合、連続選択操作時には、アイコン２３ａのみを表示する表示態様に設定されていて選択された場合にのみテキスト部２３ｂが表示される貼り付けメモ２３のテキスト部２３ｂ又はアイコン部２３のみが短縮表示されることとなる。このように、アイコンとテキスト部との両方を表示する表示態様に設定されている貼り付けメモは、連続選択操作時にもテキスト部が短縮表示されることなくそのまま表示されることになり、テキスト部を表示するといった設定に沿った表示を行うことができ、ユーザに対して違和感を与えることを抑制できるとともに、貼り付けメモの好適に認識させることができる。
また、上述した実施形態では、連続選択操作時に、テキスト部とカーソルの両者を短縮表示させる構成としたが、何れか一方のみを短縮表示させるように構成しても良い。
【００３４】
また、上述した実施形態では、連続選択時にテキスト部２１ｂ〜２４ｂ及びカーソル２５を短くして表示するとしたが、本発明はこれには限定されない。本発明では、制御部４が通常選択時と連続選択時とで貼り付けメモ２１〜２４（アイコンとテキスト部の少なくとも一方）とカーソル２５の表示部２での表示態様を異ならせればよい。
すなわち、例えば、通常選択時にはカーソル及びテキスト部内を点滅表示させ、連続選択時には点灯表示させるようにしてもよい。
また、例えば、通常選択時にはカーソル或いはテキスト部内の背景色を赤色とし、連続選択時には緑色とするように、背景色を変化させても良い。
また、例えば、通常選択時にはカーソル及びテキスト部内の文字を通常のフォントを用いて表示させ、連続選択時には通常と異なるフォント（例えば、イタリック体やボールド体）を用いて表示させるようにしてもよい。
【００３５】
また、上述した実施形態では、アイコン２３ａのみ表示される設定となっている貼り付けメモ２３が選択されてカーソル表示される当たった場合には、当該貼り付けメモの内容がテキスト部２３ｂに表示されるとしたが、本発明はこれには限定されず、例えば、通常選択時には上述したとおりに表示され、連続選択時には、アイコン２３ａのみがカーソル表示されるようにしても良い。この場合、連続選択時に高速スクロールするカーソル２５内の文字を視認しやすくなる、という上述した本発明の効果は失われるが、代わりに、アイコン２３ａのみが高速スクロール中に表示され、アイコン２３ａの視認性自体は向上する。すなわち、ある特定のアイコンに関連付けられた内容の貼り付けメモを選択したい場合等には有用である。また、連続選択時には、アイコン２３ａのみが表示されるので、連続した選択操作によって切り替わるカーソル表示の処理をより迅速に行うことができる。
【図面の簡単な説明】
【００３６】
【図１】図１は、携帯端末１００の構成を示すブロック図である。
【図２】図２は、表示部２に表示された貼り付けメモの一例を示す図である。
【図３】図３は、連続選択時の表示部２の貼り付けメモの表示例を示す図である。
【図４】図４は、通常時と連続選択時の貼り付けメモ表示と、ユーザの視線の移動範囲との関係を示す。
【図５】図５は、携帯端末１００の連続選択時の動作例について説明するためのフローチャートである。
【符号の説明】
【００３７】
１００…携帯端末、１…記憶部、２…表示部、２１〜２４…貼り付けメモ、２１ａ〜２４ａ…アイコン、２１ｂ〜２４ｂ，２１ｂ´〜２４ｂ´…テキスト部、２５…カーソル、３１…操作部、３２…操作検出部、４…制御部、５…バス
【図１】
2008052148.tif 000003
【図２】
2008052148.tif 000004
【図３】
2008052148.tif 000005
【図４】
2008052148.tif 000006
【図５】
2008052148.tif 000007